(57)【要約】【課題】キー入力の秘匿性を向上する。【解決手段】入力装置は、所定の配列に従って複数のキーの各々に記号を赤外線で表示する赤外線キーボード部と、赤外線を可視光に変換した画像を表示するディスプレイと、複数のキーの各々に対して操作が行われたとき、操作されたキーに表示された記号に対応する入力データを生成する入力データ生成部とを備える。オペレータはディスプレイを見ることにより、赤外線によってキーに表示された記号を見ながら入力操作を行うことができる。ディスプレイを見ていない第三者はキーに表示された記号が見えず、何が入力されたか知ることができない。【選択図】図２
2010049662.tif 000002
【特許請求の範囲】
【請求項１】
所定の配列に従って複数のキーの各々に赤外線で記号を表示する赤外線キーボード部と、
前記赤外線を可視光に変換した画像を表示するディスプレイと、
前記複数のキーの各々に対して操作が行われたとき、前記複数のキーのうちの操作されたキーに表示された前記記号に対応する入力データを生成する入力データ生成部
とを具備する入力装置。
【請求項２】
請求項１に記載された入力装置であって、
前記ディスプレイはヘッドマウントディスプレイである入力装置。
【請求項３】
請求項１又は２に記載された入力装置であって、
更に、可視光を撮影する可視光カメラを具備し、
前記ディスプレイは、前記可視光カメラが撮影した可視光画像と、前記赤外線を可視光に変換した画像との合成画像を表示する入力装置。
【請求項４】
請求項１から３のいずれかに記載された入力装置であって、
更に、所定の入力操作に応答して、予め登録された複数の配列の中から前記所定の配列を設定するキー配列構成部を具備する入力装置。
【請求項５】
所定の配列に従って複数のキーの各々に記号を赤外線で表示する工程と、
前記赤外線を可視光に変換した画像をディスプレイに表示する工程と、
前記複数のキーの各々に対して操作が行われたとき、前記複数のキーのうちの操作されたキーに表示された前記記号に対応する入力データを生成する工程
とを具備する入力方法。
【請求項６】
所定の配列に従って複数のキーの各々に記号を赤外線で表示する工程と、
前記複数のキーの各々に対して操作が行われたとき、前記複数のキーのうちの操作されたキーに表示された前記記号に対応する入力データを生成する工程
とをコンピュータに実行させるプログラム。
【発明の詳細な説明】
【技術分野】
【０００１】
本発明は、キー入力の秘匿性を向上する技術に関する。
【背景技術】
【０００２】
電子機器の入力装置として、キーボードが用いられている。入力する者は、キートップに記されている記号を見ながら、又はタッチタイピングにより入力操作を行う。
【０００３】
コンピュータの入力操作において、セキュリティ上の理由などにより秘匿性が要求される場合がある。このような場合、入力する者以外の者に入力データの内容が分からないことが望まれる。秘匿性を向上するために、従来は、入力したデータを表示画面に表示しないという処理が行われていた。こうした処理により、第三者は表示画面を見ても入力データの内容を知ることができない。
【０００４】
以下に、キーボード装置に関する文献の一例を挙げる。この特許文献１記載の技術は、シフト状態におけるタイプミスを減少させることを目的とする。図１に示すように、シフトキー１２０、１２１、１２２のいずれか１つまたは２つ以上が押されると、シフト状態チェック機構１２３は各シフト状態をチェックし、切換えが必要な場合は表示文字切換機構１２４に対してどの文字を表示するかを指示する。表示文字切換機構１２４はシフト状態チェック機構１２３の指示に従い、キートップの表示文字を１２５、１２６、１２７、…のうちの１つに切換える。
【特許文献１】特開平４−３６７９２３号公報
【発明の開示】
【発明が解決しようとする課題】
【０００５】
しかしながらキーボード入力の秘匿性には次のような課題がある。第三者は、キー入力する者の手元を見ることにより入力データの内容を特定することが可能である。すなわち押下されたキーのキートップに記された記号を見ることにより第三者が入力データを知ることができる。またｑｗｅｒｔｙ配列やあいうえお配列などの通常のキーボードでは、押下されたキーの位置に基づいて第三者が入力データを知ることができる。そのため第三者がキー入力する者の手元を見ることができると、パスワード等の情報の漏洩を完全に防ぐことが難しい。
【０００６】
本発明の目的は、キー入力における入力データが、入力した者以外の者に漏洩する可能性を低減する技術を提供することである。
【課題を解決するための手段】
【０００７】
本発明の一側面によれば、入力装置は、所定の配列に従って複数のキーの各々に赤外線で記号を表示する赤外線キーボード部と、赤外線を可視光に変換した画像を表示するディスプレイと、複数のキーの各々に対して操作が行われたとき、複数のキーのうちの操作されたキーに表示された前記記号に対応する入力データを生成する入力データ生成部とを備える。
【０００８】
このような構成により、赤外線を可視光に変換するディスプレイを見て操作するオペレータのみがキーに表示されている記号を見ることができる。ディスプレイの画像を見ていない第三者はキーに表示されている記号を見ることができないため、オペレータが入力したデータを知ることができない。
【発明の効果】
【０００９】
本発明により、キー入力したデータが第三者に漏洩する可能性を低減する技術が提供される。
【発明を実施するための最良の形態】
【００１０】
以下、図面を参照しながら本発明の一実施形態を説明する。
図２は、本実施形態における入力装置を用いた入力システムの構成を示す。可視カメラ８は、可視光によって赤外線キーボード１を撮影して可視画像を生成する。赤外線カメラ１０は、赤外線によって赤外線キーボード１を撮影し、撮影した赤外線を可視光に変換した画像である赤外線画像を生成する。表示合成部９は、可視画像と赤外線画像とを位置合わせして合成して合成画像を生成する。ディスプレイ７は合成画像を表示する。オペレータは、ディスプレイ７に表示された合成画像を見ながら赤外線キーボードに対して入力操作を行う。ディスプレイ７は、オペレータが眼鏡のように装着することができるヘッドマウントディスプレイであることが望ましい。
【００１１】
赤外線キーボード１の少なくとも一部のキートップの表示は可視化されておらず、赤外線によって表示される。赤外線によって表示されたキートップは肉眼では識別できない。オペレータは、ディスプレイ７を装着することによって赤外線によって表示されたキートップを見て入力操作を行うことができる。ディスプレイ７を装着していない第三者はキー入力された内容を特定することができず、情報漏えいを防ぐことができる。
【００１２】
図３は、入力装置の構成を示す。赤外線キーボード１は、複数のキースイッチ１５を備える。複数のキースイッチ１５はキー入力検出部４に接続される。キー入力検出部４は、複数のキースイッチ１５の中で押下されたキースイッチを特定する入力信号（スキャンコード）を生成する。キーコード出力部６は、キー入力検出部４が生成した入力信号に基づいて、押下されたキースイッチに対応するキーコード（文字コード）を出力する。キー入力検出部４とキーコード出力部６は入力データを生成する入力データ生成部を構成する。
【００１３】
複数のキースイッチ１５の各々のキートップには赤外線パネル１２が配置される。すなわち複数の赤外線パネル１２と複数のキースイッチ１５とは物理的に対を形成する。複数の赤外線パネル１２は表示制御部３に接続される。表示制御部３はキー配列構成部５に接続される。
【００１４】
キー配列構成部５は、キー配列テーブルを格納し、このキー配列テーブルに基づいて、キースイッチ１５の各々にキーコードを対応付ける。キーコード出力部６がこの対応付けに基づいてキーコードを上位のコンピュータに出力することにより、赤外線キーボード１はＱＷＥＲＴＹ配列、あいうえお配列、ランダム配列などのキーボードとして機能する。キー配列構成部５には配列選択部１１が接続される。配列選択部１１は、自動的に又は外部からの入力操作に応答してキー配列選択信号を生成してキー配列構成部５に出力する。キー配列構成部５は、キー配設選択信号に応じてキー配列テーブルを設定する。
【００１５】
上位のコンピュータは、記憶装置に格納したプログラムに従って、受信した入力データに応答した処理を行って、その結果を自らのディスプレイに表示する。
【００１６】
図４は、赤外線パネル１２とキースイッチ１５の対で構成された赤外線キーの構造を示す。赤外線キーは図３で示すように２次元マトリクス状に配列された画素を有する。各々の画素は赤外線を出力することができる。こうした画素は、例えば不可視式の赤外線ＬＥＤや、赤外線を出すセラミックや、石英ガラスなどを、ニクロム線などで一定の温度まで暖めることによって実現することができる。あるいは赤外線バックライトと、そのバックライトの透過又は非透過を２次元マトリクス状の要素毎に制御する液晶シャッタとによって実現することができる。赤外線非照射画素１３は赤外線を出力していない画素を示す。赤外線照射画素１４は赤外線を出力している画素を示す。
【００１７】
表示制御部３は、キー配列構成部５のキー配列テーブルに基づいて、複数の赤外線パネル１２の各々について赤外線非照射素子１３と赤外線照射素子１４との配列を制御する。その結果、各々の赤外線パネル１２に記号（文字、数字など）などが表示される。オペレータはディスプレイ７の表示する合成画像を見ることにより、キートップに文字、数字、記号などが表示されたキーボードを見ることができる。オペレータがキーを押下すると、キーコード出力部６は、押下されたキーのキートップの赤外線パネル１２に表示された記号に対応するキーコードを出力する。
【００１８】
あるいは、キー入力検出部４は押下されたキーのキーコード（スキャンコード）を出力し、キーコード出力部６は、キー配列テーブルにおいてそのキーコードに対応している文字コードを上位のコンピュータに出力する。
【００１９】
図５は、配列選択部１１が出力するキー配列選択信号に応答してキー配列構成部５が実現するキー配列の例を示す。赤外線キーボード１は、図５（ａ）に示すＱＷＥＲＴＹ配列１６、図５（ｂ）に示すあいうえお配列１７、図５（ｃ）に示すランダム配列１８などの配列を有する赤外線キーボードとして利用できる。
【００２０】
［実施例の動作の説明］
まず、オペレータは、配列選択部１１に対する入力操作によってキー配列を選択する。この操作により、表示が可視化されていない複数の赤外線パネル１２の各々の赤外線非照射素子１３と赤外線照射素子１４の組み合わせが変更される。この動作により、オペレータは赤外線キーボード１のキー配列を変更することができる。すなわち、オペレータは習熟しているキー配列を選択してキー入力をすることができる。また、特に重要な情報を扱う場合には、キー入力効率を下げても秘匿性を向上することが望まれる。そのような場合には、オペレータはランダム配列１８を選択することができる。
【００２１】
赤外線キーボード１のキートップに赤外線により記号が表示された状態で、すなわち複数の赤外線パネル１２が表示された状態で、オペレータはディスプレイ７を装着する。可視カメラ８と赤外線カメラ１０は赤外線キーボード１を撮影する。オペレータは、表示合成部９で合成されたキーボード配列情報をディスプレイ７によって視認することができる。オペレータは、この視認された赤外線キーボード１の複数のキースイッチ１５のうち目的のキーを指により押下する。キー入力検出部４は、複数のキースイッチ１５のうち押下された特定のキースイッチを検出する。キーコード出力部６はキー配列構成部５の情報を元にキーコードを生成して、あらかじめ定められた手順により上位のコンピュータ（図示せず）に送信する。
【００２２】
［効果の説明］
以上説明したように、本実施形態により、以下に記載するような効果が達成される。第１の効果は、キーボード上の表示を赤外線化したことにより不可視化しオペレータだけは眼鏡形式でその表示を識別できることで、第三者がキーボード入力している文字、数値などを特定できないことである。第２の効果は、キーボードの配列を一般的な配列（いわゆるＱＷＥＲＴＹ配列、あいうえお配列など）から変えることによって第１の効果と合わせ、第三者にキー入力を推定されないことである。第３の効果は、特に重要な情報を扱う場合、キー入力効率を下げても秘匿性を優先して、キーボードの配列をランダムにすることにより、第三者がまったく推測もできないようにすることである。
【００２３】
［発明の他の実施例］
このように、本実施形態では、キーボード上の表示を赤外線化したことにより不可視化しているので、第三者がキーボード入力している文字、数値などを特定できないという効果が得られる。
【００２４】
図３に示した本実施形態の構成において、上位のコンピュータへ出される信号は、ケーブルを用いずに、無線で送信することもできる。また、キーボードからの信号送信は、工業規格シリアル赤外線（ＳＩＲ）プロトコルのような赤外線通信や、ＲＦ（Ｒａｄｉｏ  Ｆｒｅｑｕｅｎｃｙ）による通信によって構成してもよい。キー配列に関してもＱＷＥＲＴＹ配列１６、あいうえお配列１７とランダム配列１８以外を設定することができ、オペレータの習熟度に応じたキー配列を選択することが可能となる。
【００２５】
［発明を利用しようとする例］
不特定多数の第三者が存在するオフィスでのパーソナルコンピュータでの文章編集作業を想定した場合、ディスプレイに関しては、視野範囲を意図的に狭める偏光フィルタなどが存在し、第三者からの盗視を防ぐことが可能である。しかし広く一般的に使用されるキーボード入力の場合は、本実施形態で説明した赤外線キーボードを併せて使用することにより、キーボード入力時の盗視を防ぐ効果が得られる。
【図面の簡単な説明】
【００２６】
【図１】図１は背景技術の説明図である。
【図２】図２は入力システムの構成を示す。
【図３】図３は入力装置の構成を示す。
【図４】図４は赤外線キーを示す。
【図５】図５はキー配列の例を示す。
【符号の説明】
【００２７】
１  赤外線キーボード
３  表示制御部
４  キー入力検出部
５  キー配列構成部
６  キーコード出力部
７  ディスプレイ
８  可視カメラ
９  表示合成部
１０  赤外線カメラ
１１  配列選択部
１２  赤外線パネル
１３  赤外線非照射画素
１４  赤外線照射画素
１５  キースイッチ
１６  ＱＷＥＲＴＹ配列
１７  あいうえお配列
１８  ランダム配列
１２０  シフトキー
１２１  シフトキー
１２２  シフトキー
１２３  シフト状態チェック機構
１２４  表示文字切換機構
１２５  キー配列
１２６  キー配列
１２７  キー配列
【図１】
2010049662.tif 000003
【図２】
2010049662.tif 000004
【図３】
2010049662.tif 000005
【図４】
2010049662.tif 000006
【図５】
2010049662.tif 000007